(57)【特許請求の範囲】
【請求項１】
クロージャーであって、
従属する外スカート及び内スカートを有する上壁を有し、前記内スカートが外面及び内面を有するクロージャー本体と、
前記内スカートの前記内面から突出する少なくとも１つのネジ山と、
前記内スカートの前記外面から突出しかつ前記内スカートの周囲に環状に位置するネジを取り外すための複数の突起と、
前記上壁から離間した前記内スカートの遠位端から突出した停止突起と、
前記停止突起に隣接して位置する支持リブであるネジを外すための複数の突起の少なくとも１つとを含むクロージャー。
【請求項２】
前記支持リブが前記上壁に向かって上方に延びる、請求項１に記載のクロージャー。
【請求項３】
前記支持リブが前記上壁から前記内スカートの前記遠位端に突出した、請求項１に記載のクロージャー。
【請求項４】
前記支持リブ及び前記停止突起の各々が停止面を有する、請求項１に記載のクロージャー。
【請求項５】
前記停止突起が先細になって前記停止面の反対側の内スカートの末端に入る、請求項４に記載のクロ−ジャー。
【請求項６】
前記停止突起に隣接するばねギャップ機構をさらに含む、請求項１に記載のクロージャー。
【請求項７】
前記停止突起に隣接する前記ばねギャップ機構により、前記停止突起が移動し前記ばねギャップ機構の一部に入ることが可能となる、請求項６に記載のクロージャー。
【請求項８】
前記クロージャーが子供による不正開封防止クロージャーである、請求項１に記載のクロージャー。
【請求項９】
前記外スカートが子供による不正開封防止ロックを１つ以上含む、請求項８に記載のクロ−ジャー。
【請求項１０】
前記支持リブがその他の複数のねじを外すための突起とは異なる形状を有する、請求項１に記載のクロージャー。
【請求項１１】
前記支持リブが前記内スカートの長さに渡って実質的に同じ形状である、請求項１に記載のクロージャー。
【請求項１２】
前記停止突起に隣接する前記支持リブが前記停止突起から前記外スカートの方へと半径方向に延びている、請求項１に記載のクロ−ジャー。
【請求項１３】
前記クロージャー本体の内部に位置するライナーをさらに含む、請求項１に記載のクロージャー。
【請求項１４】
前記支持リブが前記内スカートの前記外面に沿って実質的に垂直に位置する、請求項１に記載のクロージャー。
【請求項１５】
前記支持リブが前記停止突起の円周方向部分に隣接する前記内スカートの前記外面に沿って円周方向に延びている、請求項１に記載のクロ−ジャー。
【発明の詳細な説明】
【技術分野】
【０００１】
本発明はクロージャーに関し、特に、停止機構付きクロージャーに関する。
【図面の簡単な説明】
【０００２】
図１は容器の一部を切り離したクロージャーの一態様の上面斜視図を示す。
【０００３】
図１Ａは図１のクロージャーの態様の上面図を示す。
【０００４】
図１Ｂは図１のクロージャーの態様の正面図を示す。
【０００５】
図１Ｃは図１のクロージャーの態様の右側面図を示す。
【０００６】
図２は図１における線２−２に沿うクロージャーの態様の断面図を示す。
【０００７】
図３はライナーを除いた図１のクロージャーの底面斜視図を示す。
【０００８】
図４は容器の一部を切り離した図１の容器の上面斜視図を示す。
【０００９】
図５は図１の容器の別の態様の拡大上面斜視図を示す。
【００１０】
図６はクロージャーの一部を切り離した図３のクロージャーの拡大側面図を示す。
【００１１】
図７は図１のクロージャーの態様の線７−７に沿う断面図を示す。
【００１２】
図８は図７のクロージャーの態様の拡大断面図を示し、クロージャーの子供による不正開封防止ロックと容器突起との相互作用を表す。安全機能が係合する前の子供による不正開封防止ロックの位置を破線で示す。
【００１３】
図９は図７のクロージャーの態様の拡大断面図を示し、クロージャーの停止突起の容器突起との相互作用を表す。
【００１４】
図１０は図３のクロージャーの態様の拡大底面図を示す。
【背景技術】
【００１５】
当然のことであるが、本発明は、その適用範囲が以下の記載で説明される又は図面で例示される構造の詳細及び部材の配置に限定されるものではない。本発明は他の態様も可能であり、様々な方法で実行又は実施可能である。また、当然なことであるが、本明細書で使用する表現や用語は、説明を目的とするものであり、発明を限定するものとみなすべきではない。本明細書での「含む(including、comprising)」又は「有する(having)」、及びその変化形の使用は、その後に列挙される事項及びその等価物、並びにさらなる事項を包含することを意図する。別に限定されない限り、本明細書では「連結される(connected)」、「結合される(coupled)」、「と連通して(in communication with)」、及び「取り付けられる(mounted)」という用語ならびにその変化形は広範に用いられ、直接的及び間接的の双方での連結、結合及び取り付けを包含する。更に、「連結される(connected)」及び「結合される(coupled)」並びにそれらの変形は、物理的又は機械的な連結又は結合に限定されるものではない。
【００１６】
更に、後続の段落で説明するように、図面に示される特定の機械的な構成は、本発明の態様を例示することを意図しており、これに取って代わる機械的な構成も可能である。
【００１７】
図１〜１０に示すように、容器１に停止機構６０を用いたクロージャー１０は子供による不正開封防止クロージャーを例として図示しているが、その他のクロージャー、例えばおし引き型クロージャー、あるいは分注型もしくは非分注型クロージャーのいずれか等は任意の数の様々の形と大きさで設けられていてもよく、停止突起４０及びばねギャップ２０を含む停止機構６０を利用してもよい。クロージャー１０は、当技術分野で周知であるクロージャーを容器１から着脱可能あるいは着脱不可能にする働きをする様々な手段によって、容器１の容器ネック２に係合してもよい。クロージャー１０は、ポリエチレン、ポリプロピレン、あるいはクロージャーの当業者に周知のその他の材料等の、硬質又は半硬質ポリマー材料で形成することができる。更に、クロージャー１０は、クロージャー及びそれに関連する容器の所望の用途に応じて、様々な大きさや形状に作製してもよい。当業者に自明の通り、様々な不正開封防止手段や仕掛もクロージャー１０に用いてもよい。
【００１８】
図１〜１０に示すように、クロージャー１０はどちらも上壁１８から従属する内スカートすなわち内側殻１６及び外スカートすなわち外側殻１７を含んでもよい。内側殻１６は容器１の上端であるネック２を着脱式又は固定式に受け入れるように構成される。内側殻１６の内面は、対になる容器ネジ３と係合できるようにした通常のネジ１６ａ等の好適な接続手段を含む。ネック２の上端に、容器１の内容物にアクセスできる穴４がある。少なくとも１つの子供による不正開封防止容器突起７が、容器肩部１ａに隣接するネック２の付け根に設けられている。あるいは、２つのこのような突起７及び８をネック２の対向する両側面に設けてもよい。クロージャー１０は少なくとも１つの子供による不正開封防止容器突起７の次の当接部がクロージャーの少なくとも１つの停止突起４０に係合又は当接するまで容器ネック２に軸方向にねじ込まれる。停止突起４０及びばねギャップ２０は、クロージャー１０が容器ネック２のずっと下方向に位置しすぎないように障壁として機能してもよく、あるいは、クロージャーを、ラベル、説明書、記号、不正開封防止機構、掛け金又は蝶番機構、容器１の前面５等の特別な容器側面に関して整列あるいは位置決めするか容器の形に応じて方向を定めるために用いても良い（図１）。具体的には、クロージャー１０が容器１のネジ付きの容器ネック２を時計周りに回転する場合、内側殻１６から従属した停止突起４０は停止突起４０がそれと対応して干渉する容器突起７と係合する位置まで下方にねじ込まれる。クロージャー１０は、容器ネック２で所望通りに位置すると、対応するばねギャップ付きの停止突起と容器突起との係合によって容器１に関して適切な向きとなる。クロージャー１０が容器１に対して適切な向きであることを確実にするために、停止突起４０と容器突起７の係合の位置を変更しても良い。外側殻１７は内側殻１６と同じ形も含め様々な形と大きさで設計してもよい。しかしながら、図１及び図１Ａ〜１Ｃに示す通り、外側殻１７を容器１の形に適合するように成形してもよく、例示された本態様では実質的に正方形である。容器１は、図１、２，４，７，８、及び９に詳細に示されているが、それは単なる一般的な容器と容器口部の代表であり、当然ではあるが、本明細書のクロージャーの態様に用いることのできる種々の形、大きさの様々な容器やネック口部がある。例えば、容器１０１の別の態様を図５に示すが、容器ネック１０２は容器突起１０７を含む。容器突起１０７は、下記で更に十分詳しく説明するが、カム表面１０７ｂに隣接する垂直リブ１０７ｄを有する停止面１０７ａを有する。子供による不正開封防止のための面１０７ｃは停止面１０７ａから離間している。
【００１９】
更に、停止突起４０の容器突起７との係合の位置によっては、容器ネック２に沿ってクロージャー１０が移動する軸方向距離を制限し、そのために上壁１８と容器縁６の間に隙間が残り容器１の内部からの漏れが生じる可能性がある。このような漏れを防ぐために、図２及び図７〜１０に示すように、最初に容器縁６を密封するためにライナー８０をクロージャー１０の内部に置いてもよく、またその後に閉める時にこの容器縁を再密封するために用いてもよい。ライナー８０を容器ネック２に当てる前にはクロージャー１０の内部に保持してもよい。ライナー８０とクロージャー１０を組み立てる間、中央突出部１８ｂは環状突出部１８ａにかかる応力又は力を吸収し環状突出部の変形を軽減する。組み立て中にクロージャーにライナーを接着させるために接着剤を含んでもよい。クロージャーにライナーが組み付いている間は、変形を低減するために更なる環状突出部を含んでも良い。ライナー８０は、好ましくはディスク形状であり、容器ネック２に当てる前は実質的に平坦である。しかしながら図２に示すように組み立て中にクロージャー１０をネック２に置く場合、ライナー８０を、例えば限定されないが環状突出部１８ａや中央突出部１８ｂ等の上壁１８から下方に従属した１つ以上の突出部によって位置決めやドーム状にして容器縁６と接触させても良い。環状突出部１８ａは、好ましくはＶ字形の垂直断面である。ネック２にクロージャー１０をねじ込む場合、ライナー８０の中央部８４は従属する環状突出部１８ａ及び中央突出部１８ｂによって強制的に下方に押しつけられ、一方、ライナー８０の外周縁８２は容器縁６と強制的に係合される。ライナー８０が完全に容器縁６と係合すると、図２に示すように中央部８４は容器縁６に隣接する外周縁８２からオフセットされてもよい。突出部１８ａ、１８ｂを用いることにより、後で行うパッケージを密封する誘導溶接又は伝導溶接のために、ライナー８０を容器縁、すなわち密封表面に安定に固定できる。従属する突出部１８ａ及び１８ｂは、容器1に対して位置合わせしたクロージャー１０の超過移動がないことを補償するのに役立ち、安定して容器を密閉する。環状突出部１８ａ及び中央突出部１８ｂを図に具体的に詳細に示すが、当然ながら、様々な形、大きさ、位置及び構造を使用して、更に安定な容器の密閉に供してもよい。また、当然ながら、プラグシール（図示せず）あるいは種々の異なる放射状シール（これも図示せず）は、クロージャー１０が容器ネック２と係合した時に容器ネック２の内面または外面と係合する位置に、上壁１８即ちクロージャー本体１０のスカートから従属して形成できる。言い換えれば、おそらく容器の形状に合わせてクロージャー１０を位置合わせするために、停止突起４０と容器突起７が係合する点までクロージャー１０を容器ネック２で位置合わせする（図７）場合、プラグ又は放射状シールはネジ３の上方又は下方で容器ネック２の内面又は外面と係合し密封することが出来る。プラグ又は放射状シールは、内容物が容器に受け入れられてクロージャーがはめられてからの期間、更には容器の耐用年数の間は、ライナーのない容器の密閉に役立てられる。あるいは、クロージャー１０は、例えば容器縁６と係��するように位置する再シールライナー、上壁１８の内面に沿って位置する展性のある密封材料、金属箔シール、当業者に知られたその他のシールを含む種々のライナーを用いることができる。また、密封保持具をクロージャーの様々な態様において用いることもできる。
【００２０】
上記のように、また図３及び図６〜１０に示すように、１つ以上の停止突起４０が内側殻１６から下方に突出していてもよい。各々の停止突起４０の自由端４０ｂは内側殻１６に沿って延び、内側殻１６の下部、即ち末端１６ｃを超えてもよい。当接面４１は停止突起４０の下端４０ｂに隣接して設けられ、一旦、停止突起４０と容器突起７の接触が起こると回転圧力が増加するので、その当接面４１は変形に抵抗するように構成された広い表面積を有することが好ましい。停止突起４０は逆テーパー等の形、様々な位置、構造、数量及び寸法のものを使用できるが、それらは本発明の精神の範囲内に入る。例えば、図３、６及び図７〜１０に示すように停止突起４０は支持リブ４２を含んでもよい。支持リブ４２はクロージャー上壁１８から内側殻１６に沿って停止突起４０の自由端４０ｂまで延びてもよく、長さも変化してよいが、内側殻の長さに沿って部分的に延びているのみである。通常、支持リブ４２は内側殻１６の外面１６ｂから外側に延びている。支持リブ４２は停止突起４０及び内側殻１６を強化するのに役立ち、内側殻の全厚みを増やさずに容器突起と接する表面積を増やすことができる。支持リブ４２は、また、成形工程の間、ネジを外すための突起としても機能し、あるいは複数の専用のネジを外すための突起５２と併用することもできる。支持リブ４２は、様々な、大きさ、形、位置、位置、及び、例えば内側殻から外側殻に延びる等の構造で、また、全ての停止突起４０の支持をする数を設けることもできる。
【００２１】
図３，６及び図７〜１０に示すように、過剰なトルクやそれに続くネジの締め過ぎを軽減するために、内側殻１６は末端１６ｃを超えて延びる下方に突出した停止突起４０を有する。停止突起４０は十分な弾性を有し、容器突起７と係合前は、弛緩した屈曲していない第１状態にある（図３，６，７，８及び１０）。しかしながら、組み立て中にクロージャー１０をネック２に配置する時、具体的には停止突起４０が最初に容器突起７の停止面７ａと係合する時、停止突起４０は変形し、即ち引っ張られて屈曲した第２状態（図９）に置かれ、そこでは各々の停止突起４０に隣接して位置するばねギャップ２０のブリッジ２４が変形し、それにより停止突起４０が内側殻のばねギャップ２０を実質的に閉じる。ブリッジ２４は、停止突起４０によって変形した場合、通常は屈曲及び／又は半径方向に湾曲（図９）する。しかしながらブリッジ２４は様々な方向に、即ち限定されないが環状に、垂直に、あるいはそれらの組み合わせ等の種々の手段で屈曲するよう設計されてもよい。停止突起４０は、実質的に内側殻１６の外部停止延長１６ｅの当接面１６ｄの方向にある、もしくは隣接するばねギャップ２０の中に移動することができる。外部停止延長１６ｅを図３及び図６〜１０に示すが、先細になって内側殻１６の末端１６ｃに入る。従って、クロージャー１０が容器ネック２（図１，２及び図７〜９）にねじ込まれた場合、停止突起４０が当接面１６ｄと実質的に同一平面の位置になるまでばねギャップ２０のブリッジ２４が圧縮又は変形され、そのためにクロージャー１０が容器ネック２周りを回転して望ましい垂直及び／又は環状距離を更に進むことが妨げられる可能性がある。更に、第２の状態、即ち停止突起４０の屈曲位置（図９）及びばねギャップ２０の変形したブリッジ２４では、停止突起４０及びばねギャップ２０のブリッジ２４のそれぞれが停止突起をその屈曲していない状態に強く戻そうとする現存する記憶(living memory)を有する。このように、ばねギャップ及び／又は停止突起は永久変形に抵抗することができるので、クロージャーを容器突起７の位置に応じて整列あるいは位置決めすることができる。この停止機構６０によってクロージャー１０を様々なトルクで組み立て、クロージャーを容器に対して確実に位置合わせすることができ、更に具体的には、子供による不正開封防止ロック３０ａは、子供による不正開封防止機構の適切な係合を確実に行うために容器突起７を除去している。その結果、クロージャーや容器に現在組み込まれている通常３０度の超過移動許容度は減少する。
【００２２】
図８及び図１０に示すように、ばねギャップ２０は、クロージャー停止突起４０に対して非屈曲位置である第１距離Ｄ１を有する。停止突起４０が容器突起７と係合し、クロージャーにかかる回転力により停止突起が屈曲してばねギャップに入る時、ばねギャップの第１距離Ｄ１は第２距離Ｄ２（図９）まで短縮される。図６に示すように、ばねギャップ２０は、内側殻１６の末端１６ｃから上壁１８に向かって上方に延びる凹部２２を有する。図１０に示すように、凹部２２は半径方向厚みＲ２のブリッジ２４を規定し、内側殻１６の半径方向の厚みＲ１はＲ２よりも大きい。ブリッジ２４は停止突起４０を、内側殻１６の外部停止延長１６ｅに隣接する凹部の反対側の当接面１６ｄと連結する。凹部２２及びばねギャップ２０を図に詳細に示すが、当然のことながら凹部及び／又はばねギャップは、弓状、くさび状、又は先細状等の様々な形で、異なる長さ及び断面積等の様々な大きさで、クロージャーＣＲ突起（図示）に隣接する等の種々の構造で、ドロップ突起４０及び／又は支持リブ４２から離間している等の種々の位置に、また様々な数量で設けてもよく、更に停止突起４０がその屈曲位置（図９）と非屈曲位置（図３、６、７、８及び１０）の間に位置決めできるように機能する。例えば、凹部は内側殻１６の外面１６ｂから内面１６ｆの全内側殻１６を通って延びてもよく、言いかえれば、全半径方向厚みＲ１であり従ってブリッジ２４はない。また、凹部は外面１６ｂに代わり内面１６ｆから延びてもよく、あるいは、表面１６ｆ及び１６ｂの双方から延び、それらの間に材料のブリッジを残してもよい。別の例として、停止機構をクロージャーの外側殻に置いてもよく、あるいは、停止機構によりクロージャーの分注口の機能を可能にしてもよい。また、停止突起は実質的に環状になって屈曲する必要はなく、所望のクロージャーの様々な用途に応じて、限定されないが垂直に又は半径方向も含め、ばねギャップに対してその他の様々な方向に屈曲してもよい。また、停止突起の運動の誘導や制約を行うバイアスあるいはガイド機構をクロージャーに用いてもよいが、当然ながら、この構造はクロージャーに限定されず容器ネックの部分であってもよい。例えば図５に示すように、容器突起１０７の停止面１０７ａに設けられた垂直リブ１０７ｄにより停止突起４０の外に向かう半径方向の運動を阻止できる。停止突起の運動を誘導するガイド機構を使用する他の例としては、クロージャーの超過移動が起こった時に停止突起４０を半径方向で内側に向かって誘導し、クロージャー停止突起と容器突起の間でより積極的な係合ができるように、容器突起１０７の停止面１０７ａを曲げるか先細にして（図示せず）容器突起に入れるように容器突起１０７の停止面１０７ａを成形することが挙げられる。
【００２３】
ばねギャップ２０付きの停止突起４０を用いることで、クロージャー１０を容器１に最初にはめる時及び容器の耐用年数の間に繰り返しクロージャーを容器にはめる場合の組み立ての複雑さを軽減できる。具体的には、容器１にクロージャー１０を組み付ける際、クロージャーにかかるキャッピングトルクは散発的であり正確に制御できる変量ではない。このような場合、ばねギャップ２０及び停止突起４０を用いることで、キャッピング工程の間、過剰なトルクに耐える十分な強度が得られる。ばねギャップ２０は、このように過剰トルクによる悪影響の可能性を低減し、例えば、クロージャーの過剰な締め付けを防止し、停止突起が破壊される可能性を低減し、また、容器との関係でクロージャーを一貫して正しい方向に向けるか回転させることに役立つ。
【００２４】
当然であるが、本発明の態様では、様々なその他の構造が停止突起４０及びばねギャップ２０を有する停止機構６０と共に用いることができ、例えば、それらに限定されないが、クロージャーの子供による不正開封防止ロック３０ａ及び３０ｂ（図３）、あるいは不正開封防止の仕掛け（図示せず）が挙げられるが、これらの他の構造は、本態様のその他の発明的な特長を利用するのに必要ではない。当技術分野で知られた任意の数の安全機能を本発明の態様に用いることができる。例えば、図３及び図６〜８に示すように、クロージャーに子供による不正開封防止機能を設けるために、子供による不正開封防止ロック３０ａ及び３０ｂを停止機構６０と協動するように設けられる。図２及び図３に示すように二重壁の「押し挟んで回す」安全クロージャーを利用できるが、様々な一重又は二重壁のクロージャーが本発明の範囲内で設けられる。クロージャー１０は、上壁１８から従属した変形可能な環状の外側殻１７を有する。外側殻１７の形は真っ直ぐでも先細りでもよい。対向する締め付け板１７ａ及び１７ｂを、正方形の外側殻１７の互いに約１８０度で離間した隅部に形成し、クロージャー１０が取り外されることを防止する安全機能に打ち勝つために、圧力をかけて外側殻１７を変形させる適当な場所のためのガイドを提供する。締め付け板１７ａと１７ｂは、上壁１８からクロージャーの中央部から離れるように外向きに先細りになっており、締め付け板は上壁１８に隣接した位置の幅はより広く、クロージャーの上壁１８から離間した締め付け板の自由端に向かって細くなっている。締め付け板１７ａ及び１７ｂは、成人の場合クロージャー上壁１８から下に向かって直感的に更に締めつけてしまうが、それは締める効率を高めクロージャーの安全機能に打ち勝つ効果を高くできる指の大きさによるものである。幼い子供は締める力が大幅に増加するクロージャーの高い位置を握る傾向にあり、彼らの小さな指で触ってもクロージャーの基部で締める効率が有利であることを見つけにくく、したがって子供がこのクロージャーを開けることは更に難しくなる。
【００２５】
図４及び図７〜９に示すように、容器ネック２はその表面に配置した少なくとも１つの突起７を含む。一態様において、容器ネック２は突起７及び８の２つを含む。容器突起７はネック２の外面に沿って容器突起８の正反対側に位置する。しかしながら、クロージャー１０の容器ネック２の周りの所望の回転範囲に応じて、一態様による容器ネック２は、容器ネック２の周りの種々の地点に配置される１つ以上の突起を含んでもよい。しかしながら、一態様には、様々な回転範囲を提供するために異なった配列の突起、ロック、止め具が含まれてもよい。容器ネック２は、図４及び７に示されているように、容器突起７及び８と一体として形成される２つの子供による不正開封防止止め具、即ち面７ｃ、８ｃを含んでもよい。しかしながら、クロージャー１０の別の態様は、また突起７及び８に整列あるいはそれらと一体としては形成されない子供による不正開封防止止め具も包含する。
【００２６】
図１、1Ａ−１Ｃ、２、３及び７に示すように、圧力板１７ａ及び１７ｂは、一対の子供による不正開封防止ロック３０ａ及び３０ｂから約９０度離間している。従って、子供による不正開封防止ロック３０ａ及び３０ｂもお互いに正反対に対峙し、外側殻１７の内面に沿って配置されている。子供による不正開封防止ロック３０ａ及び３０ｂは、上壁１８及び外側殻１７から突き出ている。子供による不正開封防止ロック３０ａ及び３０ｂは、クロージャー１０が容器１に固定されている時に、ネック２に配置された容器突起７，８の上方にくる。もっと具体的には、ロック３０ａ、３０ｂは外向きに屈曲し、容器突起７、８のカム表面７ｂ、８ｂの上方を移動し、クロージャーを所定の位置に係止する。子供による不正開封防止ロック３０ａ、３０ｂは、各々、少なくとも１つの先細りもしくは湾曲した側面３３ａ及び３３ｂを有し、それらはクロージャー１０が容器１で回転している時に子供による不正開封防止ロック３０ａ、３０ｂが容器突起７、８のカム表面７ｂ、８ｂを通過するのを促進する。組み立て中にクロージャー１０がネック２の周りを更に回転すると、停止突起４０は各々が停止面７ａ、８ａと係合し、停止機構６０と作動可能なように係合することができる。
【００２７】
図７、８及び９に示すように、容器ネック２の下部に位置する容器突起７及び８は各々、外側殻１７の内部に位置する子供による不正開封防止ロック３０ａ、３０ｂのロック係合面３２ａ、３２ｂと干渉するように係合することによってクロージャー１０の取り外しを防止する子供による不正開封防止当接面７ｃ、８ｃを有する。図８に示すように、内側向きの圧力が締め付け板にかからず、一方で同時にクロージャー１０が回っている場合、子供による不正開封防止ロック３０ａは内側に屈曲し子供による不正開封防止当接面７ｃに沿って容器突起に入ることにより積極的に容器突起７と係合し、パッケージの子供による開封に対する防止力を大幅に増大させる。安全ロックに打ち勝つためには、同時にクロージャー１０が回っている間に締め付け板１７ａ及び１７ｂに内向きの圧力をかけ、外側殻１７を楕円形にする必要がある。外側殻１７を楕円形にすることでロック３０ａ、３０ｂを子供による不正開封防止当接面７ｃ、８ｃとの干渉的な接触から解放しクロージャー１０の回転運動と取り外しを可能にする。
【００２８】
また、図２，３及び７に示すように、締め付け板１７ａ及び１７ｂは各々、補強ウェブ７１、７２及び７３、７４の１対ずつに合わせて整列してもよい。この２対の正反対に対峙する補強ウェブ７１、７２及び７３、７４は半径方向に延びて、各々の軸の反対端で内側殻１６と外側殻１７とに結合して一体化する。補強ウェブ７１、７２及び７３、７４の各対はクロージャー１０の上壁１８から下方に延びている。補強ウェブは、様々な位置、数量、構造、及び寸法で設けられ、クロージャー１０の子供による不正開封防止係合を「押し挟んで回す」操作で解放することを可能にする。
【００２９】
前述の詳細な説明の第一の目的は、本発明の理解を明確にするものであり、さまざまな修正は本開示を読めば当業者にも明らかであり、本発明の精神および添付の特許請求項の範囲から逸脱することなく行えるので、そこから本発明を制限するものではない。
【図１】
0005368568.tif 000002
【図１Ａ】
0005368568.tif 000003
【図１Ｂ】
0005368568.tif 000004
【図１Ｃ】
0005368568.tif 000005
【図２】
0005368568.tif 000006
【図３】
0005368568.tif 000007
【図４】
0005368568.tif 000008
【図５】
0005368568.tif 000009
【図６】
0005368568.tif 000010
【図７】
0005368568.tif 000011
【図８】
0005368568.tif 000012
【図９】
0005368568.tif 000013
【図１０】
0005368568.tif 000014